(57)【要約】【課題】  スピーカ装置において、駆動音の増大と、更なる高品質化を可能にする。【解決手段】  筒形の本体フレーム３１に振動膜４７を支持する。振動膜４７の一方の面側において、本体フレーム３１内に、印加される音声信号によって振動膜４７を駆動させる第１の駆動部６１を配置する。振動膜４７の他方の面側において、印加される音声信号によって第１の駆動部６１による振動膜４７の振動方向と同一方向に振動膜４７を駆動させる第２の駆動部７５を、本体フレーム３１に配置する。【選択図】  図１
2014090239.tif 000002
【特許請求の範囲】
【請求項１】
筒形の本体フレームと、
この本体フレームに支持された振動膜と、
この振動膜の一方の面側において前記本体フレーム内に配置され、印加される音声信号によって前記振動膜を駆動させる第１の駆動部と、
前記振動膜の他方の面側において前記本体フレームに配置され、印加される前記音声信号によって前記第１の駆動部による前記振動膜の振動方向と同一方向に前記振動膜を駆動させる第２の駆動部と、
を具備することを特徴とするスピーカ装置。
【請求項２】
前記第１の駆動部は、前記一方の面側にて前記振動膜の中央領域と対面するよう前記本体フレーム内に配置されカップ状に形成された磁性体性の第１のヨークと、この第１のヨーク内に配置され前記振動膜の中央領域と対面する第１のマグネットと、前記振動膜に前記一方の面側で固定され前記第１のマグネットの外周に僅かな間隔を置いて挿入配置された円筒状の第１のコイルとを有し、
前記第２の駆動部は、前記他方の面側にあって前記振動膜における前記中央領域を囲む環状の外周領域と対面するよう前記本体フレームに配置されリング状に形成された磁性体性の第２のヨークと、この第２のヨークの前記振動膜側に配置され前記外周領域と対面するリング状の第２のマグネットと、前記振動膜に前記他方の面側にて固定され前記第２のマグネットの内周に僅かな間隔を置いて挿入配置された円筒状の第２のコイルとを有し、
てなる請求項１記載のスピーカ装置。
【請求項３】
前記第１および第２のコイルは、互いに同位相の同じ前記音声信号によって前記第１および第２の振動膜を駆動させる請求項２記載のスピーカ装置。
【請求項４】
前記第１および第２のコイルは、同形状および同位置で前記振動膜の両面上に固定された請求項２又は３記載のスピーカ装置。
【請求項５】
前記第１および第２のマグネットは、前記振動膜に面する側が互いに異極性に着磁されてなり、前記第１のヨークは、外周部から前記第１のコイルを間において前記第１のマグネットの前記振動膜先端近傍まで延びる環状の外壁を有し、前記第２のヨークは、内周部から前記第２のコイルを間において前記第２のマグネットの前記振動膜先端近傍まで延びる環状の内壁を有してなる請求項２〜４いずれか１記載のスピーカ装置。
【請求項６】
前記音声信号を前記第１および第２のコイルに印加するリード線は、前記振動膜の前記一方および他方の面側上の対角位置において前記第１および第２のコイルから外縁まで導出形成されてなる請求項２〜５いずれか１記載のスピーカ装置。
【発明の詳細な説明】
【技術分野】
【０００１】
本発明はスピーカ装置に係り、例えば、使用者の耳に装着するイヤホンやヘッドホン等のイヤホン装置に用いて好適するスピーカ装置の改良に関する。
【背景技術】
【０００２】
従来、使用者の耳に装着するイヤホン装置としては、例えば図６に示すように、ケース本体１内に配置したカップ状ヨーク３内に円柱状マグネット５の一方の端面を固定し、マグネット５の他方の端面との間で間隔を置いて対面するように薄い振動膜７をヨーク３の先端に固定してヨーク３の開口部を覆い、振動膜７に固定した円筒状コイル９をマグネット３の外周に僅かな間隔を置いて挿入配置した構成が良く知られている。
【０００３】
図６において、ケース本体１はロート状の基部１ａとこの先端（図中右側）を覆う前面カバー１ｂからなり、ヨーク３の開口部先端が前面カバー１ｂ内に固定されている。
【０００４】
図６中の符号１１は振動膜７の前面にあって前面カバー１ｂに貫通形成された複数の音通孔、符号１３は外部へ導出されるケーブルであって基部１ａ内で結び目１３ａが形成されている。
【０００５】
このイヤホン装置では、振動膜７を振動させる駆動部１５をマグネット５およびコイル９によって形成し、外部からケーブル１３でコイル９に音声信号を印加することによって振動膜７を振動させて発音させ、発音された音が振動膜４７の前面の音通孔１１から外部へ伝搬される。
【０００６】
そして、この種のイヤホン装置は、例えば外耳道挿入型の構成にして実際に製品化される。
【０００７】
外耳道挿入型イヤホン装置としては、例えば図７に示すように、図６の構成を若干変更した構成を有し、使用者の耳珠１７、対珠１９、耳甲介２１で囲まれた耳甲介腔２３に、振動膜７を耳甲介２１に近接させるようにしてケース本体１を挿入するとともに、耳甲介腔２３から鼓膜（図示せず）へ延びる外耳道２５に、ケース本体１から突設させた音通筒体２７を挿入して使用する構成を有している。
【０００８】
実際の製品としては、振動膜７の中心軸に音通筒体２７の中心軸を揃えた同軸型（図７参照）と、振動膜７の中心軸に音通筒体２７の中心軸を斜めに設定した非同軸型（図８参照）とがある。図７および図８ではイヤホン装置を左耳に装着した状態を示している。
【０００９】
なお、図７および図８中の符号２９は音通筒体２７外周に嵌めた可撓性のイヤーチップ（イヤパット、イヤピース）であって外耳道２５内壁に弾性的に当接される。
【００１０】
ところで、イヤホン装置の公知例としては特開２０１０−２８３６４３号公報（特許文献１）がある。
【先行技術文献】
【特許文献】
【００１１】
【特許文献１】特開２０１０−２８３６４３号公報
【発明の開示】
【発明が解決しようとする課題】
【００１２】
しかしながら、上述した何れのイヤホン装置も、ケース本体１内に配置したヨーク３、マグネット５、振動膜７およびコイル９を一組とした構成であるが、この構成では、駆動音の更なる高品質化や出力アップに係るユーザ要望に応えるには構成上から限界があると考えられている。
【００１３】
そこで、本発明者は、更なる高品質化を追求して種々の構成を鋭意検討した結果、複数のスピーカを組み合わせることにより、駆動音の高品質化および出力増加が可能である点を見いだし、本発明を完成させた。
【００１４】
本発明はそのような課題を解決するためになされたもので、駆動音の高品質化および出力増大が可能なスピーカ装置の提供を目的とする。
【課題を解決するための手段】
【００１５】
そのような課題を解決するために本発明のスピーカ装置は、筒形の本体フレームと、この本体フレームに支持された振動膜と、この振動膜の一方の面側においてその本体フレーム内に配置され、印加される音声信号によってその振動膜を駆動させる第１の駆動部と、その振動膜の他方の面側においてその本体フレームに配置され、印加される音声信号によってその第１の駆動部による振動膜の振動方向と同一方向にその振動膜を駆動させる第２の駆動部と、を具備している。
【００１６】
本発明のスピーカ装置は、上記第１の駆動部が、一方の面側にてその振動膜の中央領域と対面するよう本体フレーム内に配置されカップ状に形成された磁性体性の第１のヨークと、この第１のヨーク内に配置されその振動膜の中央領域と対面する第１のマグネットと、その振動膜に一方の面側で固定され第１のマグネットの外周に僅かな間隔を置いて挿入配置された円筒状の第１のコイルとを有し、上記第２の駆動部が、他方の面側にあってその振動膜における中央領域を囲む環状の外周領域と対面するよう本体フレームに配置されリング状に形成された磁性体性の第２のヨークと、この第２のヨークの振動膜側に配置され外周領域と対面するリング状の第２のマグネットと、その振動膜に他方の面側にて固定され第２のマグネットの内周に僅かな間隔を置いて挿入配置された円筒状の第２のコイルとを有する構成にすると好ましい。
【００１７】
本発明のスピーカ装置は、上記第１および第２のコイルは、互いに同位相の同じ音声信号によってそれら第１および第２の振動膜を駆動させる構成も可能である。
【００１８】
本発明のスピーカ装置は、上記第１および第２のコイルは、同形状および同位置でその振動膜の両面上に固定された構成も可能である。
【００１９】
本発明のスピーカ装置は、上記第１および第２のマグネットは、その振動膜に面する側が互いに異極性に着磁されてなり、その第１のヨークは、外周部から第１のコイルを間において第１のマグネットの振動膜先端近傍まで延びる環状の外壁を有し、その第２のヨークは、内周部から第２のコイルを間において第２のマグネットの振動膜先端近傍まで延びる環状の内壁を有してなる構成も可能である。
【００２０】
本発明のスピーカ装置は、上記音声信号をそれら第１および第２のコイルに印加するリード線は、その振動膜の一方および他方の面側上の対角位置においてそれら第１および第２のコイルから外縁まで導出形成されてなる構成も可能である。
【発明の効果】
【００２１】
このような本発明のスピーカ装置では、本体フレームに支持された振動膜が、この振動膜の一方の面側に配置された第１の駆動部によって振動駆動されるとともに、その振動膜の他方の面側に配置された第２の駆動部により、第１の駆動部と同一方向に駆動されるから、駆動音の高品質化および出力増大が可能である。
【００２２】
本発明のスピーカ装置では、上記第１の駆動部が、一方の面側にて振動膜の中央領域と対面する第１のヨークと、この第１のヨーク内に配置されその振動膜の中央領域と対面する第１のマグネットと、その振動膜に固定され第１のマグネットの外周に僅かな間隔を置いて挿入配置された第１のコイルとを有し、上記第２の駆動部が、他方の面側にあって振動膜における外周領域と対面するよう配置されたリング状の第２のヨークと、この第２のヨークの振動膜側に外周領域と対面配置されたリング状の第２のマグネットと、他方の面側にてその振動膜に固定され第２のマグネットの内周に僅かな間隔を置いて挿入配置された第２のコイルとを有する構成にすれば、マグネット構成において、２個の第１および第２のコイルによって１枚の振動膜を駆動させ、奇数次の歪みを軽減して駆動音の高品質化が可能となるうえ、出力増大も容易である。
【００２３】
本発明のスピーカ装置では、上記第１および第２のコイルが、互いに同位相の同じ音声信号によってそれら第１および第２の振動膜を駆動させる構成にすると、それら第１および第２の振動膜への音声信号の印加構成が簡単である。
【００２４】
本発明のスピーカ装置では、上記第１および第２のコイルが、同形状および同じでその振動膜の両面上に固定された構成にすれば、第１および第２の駆動部による振動膜の駆動にばらつきが少なく、より高品位音質の確保が可能である。
【００２５】
本発明のスピーカ装置では、上記第１および第２のマグネットが、その振動膜に面する側で互いに異極性に着磁され、その第１のヨークが、外周部から第１のコイルを間において第１のマグネットの振動膜先端近傍まで延びる環状の外壁を有し、その第２のヨークが、内周部から第２のコイルを間において第２のマグネットの振動膜先端近傍まで延びる環状の内壁を有する構成にすれば、第１および第２のマグネットからの漏洩磁束を減少させるとともに磁束密度を向上させ、より一層の駆動力増大と高品位音質化が容易である。
【００２６】
本発明のスピーカ装置では、その振動膜の一方および他方の面側上の対角位置においてそれら第１および第２のコイルのリード線を導出形成させて音声信号をそれら第１および第２のコイルに印加する構成にすれば、振動膜にかかるストレスが分散されて高品位音質の確保が容易である。
【図面の簡単な説明】
【００２７】
【図１】本発明に係るスピーカ装置の実施の形態を示す縦断面図である。
【図２】図１のスピーカ装置を示す要部分解斜視図である。
【図３】図１のスピーカ装置の動作を説明する波形図である。
【図４】図１のスピーカ装置の動作を説明する概略図である。
【図５】図１のスピーカ装置を製品化した状態を説明する概略図である。
【図６】従来のイヤホン装置を示す縦断面図である。
【図７】従来のイヤホン装置を使用例とともに示す縦断面図である。
【図８】従来のイヤホン装置を使用例とともに示す縦断面図である。
【発明を実施するための最良の形態】
【００２８】
以下、本発明に係るスピーカ装置の実施の形態を図面を参照して説明する。
図１および図２は本発明に係るスピーカ装置の実施の一形態を示す縦断面図および要部分解斜視図である。
【００２９】
図１および図２において、本体フレーム３１は、絶縁性合成樹脂から有底の筒形形状に成形されてなり、底部には凹部３３を有し、この凹部３３には開口部３５が形成されている。
【００３０】
第１のヨーク３７は、磁性体材料からカップ状に成形加工されてなり、本体フレーム３１の凹部３３内に開放口を図中上側にして固定されている。符号３９は、第１のヨーク３７の外周縁から後述する振動膜４７近傍まで延びる環状の外壁である。
【００３１】
第１のヨーク３７内底には、円筒状の第１のマグネット４１の一端面が重ねられており、第１のマグネット４１の他方の端面（先端面）が第１のヨーク３７の外壁３９の先端に相当する近傍に位置している。
【００３２】
第１のマグネット４１の他方の端面には、磁性体材料からなる円板状の抑え板４３が重ねられている。
【００３３】
第１のヨーク３７、第１のマグネット４１および抑え板４３は図示しない接着剤によって一体的かつ共軸的に固定されており、第１のヨーク３７の外壁３９の先端と抑え板４３がほぼ同じ位置に位置し、第１のヨーク３７の外壁３９先端が後述する抑え板６３に対面している。
【００３４】
なお、第１のマグネット４１は、第１のヨーク３７の凹部３３側が例えばＳ極に、後述する振動膜４７側がＮ極に着磁されており、抑え板４３もＮ極になっている。
【００３５】
本体フレーム３１の底部外面にあって、凹部３３外周にはリング板状の回路基板４５が重ねられて本体フレーム３１に固定されており、回路基板４５には図示しないケーブル（図６参照）によって電子機器（図示せず。）から音声信号が供給される。
【００３６】
振動膜４７は、従来公知のフィルム材料から円板状になり、中央部をドーム状に図中上方向に凸状に膨らませた中央領域４９と、この中央領域４９を囲む環状の外周領域５１とを有し、外周領域５１の外縁を保持リング５３にこれを塞ぐように固定支持されている。
【００３７】
振動膜４７の外周領域５１は、いわゆるコルゲーション(corrugation）エッジと称される放射状の細かい凹凸条が形成されており、中央領域４９に比べて若干凹状に窪んだ状態になっている（図２参照）。
【００３８】
振動膜４７は、本体フレーム３１内側にあって軸方向中程に形成された支持部５５に保持リング５３が載置固定されることにより、本体フレーム３１の中程でこれを塞ぐように支持されている。
【００３９】
なお、支持部５５は、例えばプラスチック材料製の本体フレーム３１の胴部内壁に、環状の台形状に形成されている。
【００４０】
振動膜４７の一方の面側（図中下面側）において、中央領域４９と外周領域５１の環状の境目には、円筒状の第１のコイル（ボイスコイル）５７の一方の端面側が中央領域４９を囲むように固定されており、第１のコイル５７が第１のマグネット４１の外周に僅かな間隔を置いて挿入配置されている。
【００４１】
そのため、第１のコイル５７を挟むようにして、第１のマグネット４１と第１のヨーク３７の外壁３９が環状に対面している。
【００４２】
振動膜４７において第１のコイル５７と同じ面上には、第１のコイル５７からリード線５９が外縁まで延びて回路基板４５に接続されており、リード線５９を介した音声信号の第１のコイル５７への印加によって振動膜４７が振動するようになっている。
【００４３】
すなわち、第１のヨーク３７、第１のマグネット４１および第１のコイル５７によって、振動膜４７を振動駆動させる第１の駆動部６１が形成されており、いわゆる内磁型スピーカが構成されている。
【００４４】
振動膜４７の他方の面側（図中上面側）には、磁性体材料からリング板状に形成され振動膜４７の外周領域５１に面する形状の抑え板６３が、振動膜４７の他方の面側にて本体フレーム３１の胴部中程に振動膜４７に対面するように固定されている。
【００４５】
抑え板６３にあって振動膜４７とは反対面には、円筒状の第２のマグネット６５の一方の端面が重ねられており、第２のマグネット６５の他方の端面（先端面）が本体フレーム３１の胴部先端近傍に位置している。
【００４６】
第２のマグネット６５の他方の端面には、磁性体材料からなるリング板状の第２のヨーク６７が重ねられており、内側周縁部が振動膜４７方向に屈曲して筒形の内壁６９となって抑え板６３位置まで延びており、第２のマグネット６５内周と内壁６９との間に環状の空隙が形成されている。第２のマグネット６５は第１のマグネット４１と略同程度の着磁力に着磁されている。
【００４７】
なお、第２のマグネット６５は、振動膜４７側の端部が例えばＳ極に、第２のヨーク６７側がＮ極に着磁されており、抑え板６３もＳ極になる。
【００４８】
抑え板６３、第２のマグネット６５および第２のヨーク６７は図示しない接着剤によって一体的かつ共軸的に固定されており、第２のヨーク６７の内壁６９の先端と抑え板６３がほぼ同じ位置に位置し、第２のヨーク６７の内壁６９先端が抑え板４３に対面している。
【００４９】
振動膜４７の他方の面側において、中央領域４９と外周領域５１の環状の境目には、第１のコイル５７と同形状に筒状に形成された第２のコイル（ボイスコイル）７１の一方の端面側が中央領域４９を囲むように固定されている。
【００５０】
第２のコイル７１は、第２のマグネット６５の外周に僅かな間隔を置くとともに、第２のヨーク６７の内壁６９との間でも僅かな間隔を置いて挿入配置されている。
【００５１】
そのため、第２のコイル７１を挟むようにして、第２のマグネット６５と第２のヨーク６７の内壁６９が環状に対面しており、第１および第２のコイル５７、７１は、同形状および同位置で振動膜４７の両面上に形成されている。
【００５２】
振動膜４７で第２のコイル７１と同じ面上には、第２のコイル７１からリード線７３が、第１のコイル５７のリード線５９とは対角位置において外縁まで延びて回路基板４５に接続されており、これを介した音声信号の第２のコイル７１への印加によって振動膜４７が振動するようになっている。
【００５３】
しかも、第２のコイル７１に印加される音声信号は、第１のコイル５７に印加される同じ音声信号であるが同位相で印加されるように接続供給されており、印加される音声信号によって第１のコイル５７による振動膜４７の振動方向と同一方向に振動膜４７が第２のコイル７１によっても振動するようになっている。
【００５４】
すなわち、第２のマグネット６５、第２のコイル７１および第２のヨーク６７により、振動膜４７を振動駆動させる第２の駆動部７５が形成されており、いわゆる、外磁型スピーカが構成されている。
【００５５】
上述した第１および第２のマグネット４１、６５は、全体が組み立てられた後、例えば、着磁装置で第１および第２のマグネット４１、６５を挟んで一度に着磁される。
【００５６】
このような構成のスピーカ装置は、例えば上述した図６および図８を参考にした図５に示すように、第１のヨーク３７側をケース本体１の基部１ａ側に配置し、第２のヨーク６７を前面カバー１ｂ側に配置し、本体フレーム３１をケース本体１（基部１ａおよび前面カバー１ｂ）内壁に支持固定させ、イヤホン装置として製品化される。
【００５７】
また、このようなスピーカ装置では、第１および第２のコイル５７、７１へ音声信号を印加することにより、第１および第２の駆動部６１、７５が振動膜４７を振動発音させ、振動音が外部へ伝搬される。
【００５８】
そして、本発明に係るスピーカ装置は、上述した図７に示したように、耳珠１７、対珠１９、耳甲介２１で囲まれた耳甲介腔２３にケース本体３１を収納するとともに、先端のイヤーチップを外耳道に挿入して装着使用される。
【００５９】
しかも、本発明のスピーカ装置では、振動膜４７を挟んで上下で内磁型スピーカ構成および外磁型スピーカ構成となってプッシュプル構成となっており、第１および第２のコイル５７、７１が、同位相で同じ音声信号が各々印加されるように接続されているから、第１および第２のコイル５７、７１によって振動膜４７が同じ方向に振動変位を発生させ、大きな振動音を生じさせる。
【００６０】
この点、従来構成のようにスピーカ単体では、スピーカ構造と振動膜の形状からして、入力信号が大きい場合、振動膜の動作は上（凸）方向と下（凹）方向で対称の振動とはならず、図３Ａ又はＢに示すように、一般的に振動の片側から歪が発生し出し易く、振動膜の振動が対称になり難い。
【００６１】
しかし、本発明では、上述したように逆向きに対向された振動膜４７が同時、かつ同じ方向へ同じ振動幅で振動することにより、互いにその歪が補完され、同図Ｃの合成波形に示すように、振動膜４７の振動が対称になり易くて歪みが少なく、波形も大きくなる。
【００６２】
さらに、本発明のようなスピーカ装置は、第１および第２のマグネット４１、６５の対面する先端側が異極性例えばＳ極とＮ極に着磁されているから、第１および第２のマグネット４１、６５先端どうしの磁極の反発が発生し易い。
【００６３】
そのため、図４Ａに示すように、第１又は第２のマグネット４１、６５の先端側とこれに隣接する第１のヨーク３７又は第２のヨーク６７の内壁６９との間に発生する磁束が、対面する内壁６９又は外壁３９のＳ極、Ｎ極の影響を受けて広がらず、第１のマグネット４１と第１のヨーク３７の外壁３９間、および第２のマグネット６５と第２のヨーク６７の内壁６９間における漏れ磁束の発生を抑えることが容易であるうえ、磁束密度が上昇する。そのため、振動膜４７の駆動損失の軽減が可能である。
【００６４】
この点、従来構成のようにスピーカ単体では、図４Ｂに示すように、例えば第１のマグネット４１の先端側と第１のヨーク３７の外壁３９との間に磁束がある程度広がって形成され、漏れ磁束が発生し、損失を無視し難い。
【００６５】
なお、図４では第１および第２のコイル５７、７１および振動膜４７の図示は省略した。
【００６６】
このように、本発明のスピーカ装置では、筒形の本体フレーム３１と、この本体フレーム３１に支持された振動膜４７と、この振動膜４７の一方の面側において本体フレーム３１内に配置され、印加される音声信号によって振動膜４７を駆動させる第１の駆動部６１と、振動膜４７の他方の面側において本体フレーム３１に配置され、印加される音声信号によって第１の駆動部６１による振動膜４７の振動方向と同一方向に振動膜４７を駆動させる第２の駆動部７５とを具備している。
【００６７】
しかも、その第１の駆動部６１は、一方の面側にて振動膜４７の中央領域と対面するよう本体フレーム３１内に配置されカップ状に形成された磁性体性の第１のヨーク３７と、この第１のヨーク３７内に配置され振動膜４７の中央領域４９と対面する第１のマグネット４１と、振動膜４７に一方の面側で固定され第１のマグネット４１の外周に僅かな間隔を置いて挿入配置された円筒状の第１のコイル５７とを有し、その第２の駆動部７５は、他方の面側にあって振動膜４７における中央領域４９を囲む環状の外周領域５１と対面するよう本体フレーム３１に配置されリング状に形成された磁性体性の第２のヨーク６７と、この第２のヨーク６７の振動膜側に配置され外周領域５１と対面するリング状の第２のマグネット６５と、振動膜４７に他方の面側にて固定され第２のマグネット６５の内周に僅かな間隔を置いて挿入配置された円筒状の第２のコイル７１とを有している。
【００６８】
そのため、第１および第２の駆動部６１、７５によってその振動膜４７の両面側から同方向へ駆動させるから、振動膜４７が大きく変位振動して出力増大が可能であるし、駆動音の高品質化が可能となる。
【００６９】
すなわち、２個の第１および第２のコイル５７、７１によって１枚の振動膜４７を両面側から駆動させ、振動膜４７において、音質に悪影響があるとされる奇数次の歪を低減させ、上方向および下方向でほぼ対称の振動を得ること容易であるから、応答性および歯切れの良い駆動音が得られ、駆動音の増大を維持しつつ駆動音の高品質化が可能である。
【００７０】
そして、第１および第２の駆動部６１、７５の第１および第２のコイル５７、７１は、互いに同位相の同じ音声信号によって振動膜４７を駆動させるから、音声信号の接続供給だけで実施可能であり、第１および第２のコイル５７、７１への音声信号の接続供給構成が簡単である。
【００７１】
また、本発明のスピーカ装置は、第１および第２のコイル５７、７１として同形状のものを用い、振動膜４７の両面上の同一位置に形成するから、構成部品が均一化されて構成部品のばらつきを小さく抑え、より高品位音質の確保が容易である。
【００７２】
さらに、本発明のスピーカ装置では、第１および第２のマグネット４１、６５は、その振動膜４７に面する側が互いに異極性で着磁されてなり、第１のヨーク３７は、外周部から第１のコイル５７を間において第１のマグネット４１の振動膜４７先端近傍まで延びる環状の外壁３９を有し、その第２のヨーク６７は、内周部から第２のコイル７１を間において第２のマグネット６５の振動膜４７先端近傍まで延びる環状の内壁６９を有してなるから、漏洩磁束を減少させるとともに磁束密度を向上させ、駆動力を増大することが可能で、高品位音質の確保が容易であるうえ、着磁構成や着磁作業も簡単である。
【００７３】
さらにまた、本発明のスピーカ装置では、その振動膜４７の一方および他方の面側上の対角位置においてそれら第１および第２のコイル４１、７１から外縁までリード線５９、７３を導出形成させて音声信号をそれら第１および第２のコイル４１、７１に印加するから、振動膜４７にかかるストレスが分散されて、より一層高品位音質の確保が可能である。
【００７４】
ところで、本発明の本発明のスピーカ装置では、上述したように、マグネットを用いて内磁型スピーカ構成と外磁型スピーカ構成を組み合わせた構成に限定されるものではなく、筒形の本体フレーム３１と、この本体フレーム３１に支持された振動膜４７と、この振動膜４７の一方の面側において本体フレーム３１内に配置され、印加される音声信号によって振動膜４７を駆動させる第１の駆動部６１と、振動膜４７の他方の面側において本体フレーム３１に配置され、印加される音声信号によって第１の駆動部６１による振動膜４７の振動方向と同一方向に振動膜４７を駆動させる第２の駆動部７５とを具備して構成すれば、駆動音の高品質化および出力増大の達成が可能である。
【００７５】
さらに、本発明のスピーカ装置では、振動膜４７の支持構成も上述した構成に限定されないし、第１および第２の駆動部６１、７５も上述した構成に限定されず、 印加される同じ音声信号によって第１および第２の駆動部６１、７５が振動膜４７を両面側から同一方向に振動駆動させる構成であればよい。
【００７６】
さらにまた、本発明に係るスピーカ装置は、上述したイヤホン装置に限らず、大型又は小型のヘッドホン又はハイファイスピーカ構成等に広く応用可能である。
【符号の説明】
【００７７】
１  ケース本体
１ａ  基部
１ｂ  前面カバー
３  ヨーク
５  マグネット
７、４７  振動膜
９  コイル
１１  音通孔
１３  ケーブル
１３ａ  結び目
１５  駆動部
１７  耳珠
１９  対珠
２１  耳甲介
２３  耳甲介腔
２５  外耳道
２７  音通筒体
２９  イヤーチップ
３１  本体フレーム
３３  凹部
３５  開口部
３７  第１のヨーク
３９  外壁
４１  第１のマグネット
４３、６３  抑え板
４５  回路基板
４９  中央領域
５１  外周領域
５３  保持リング
５５  支持部
５７  第１のコイル
５９、７３  リード線
６１  第１の駆動部
６５  第２のマグネット
６７  第２のヨーク
６９  内壁
７１  第２のコイル
７５  第２の駆動部
【図１】
2014090239.tif 000003
【図２】
2014090239.tif 000004
【図３】
2014090239.tif 000005
【図４】
2014090239.tif 000006
【図５】
2014090239.tif 000007
【図６】
2014090239.tif 000008
【図７】
2014090239.tif 000009
【図８】
2014090239.tif 000010